(57)【要約】【課題】ゴルフヘッドを提供する。【解決手段】頂部、フェース部、ホーゼル部、及び開口を有する底部を有する本体と、材料密度が本体の材料密度より大きく、底部の開口を被覆し、そのフェース部から離れる部分が底部に接続され、そのフェース部に近い部分と底部との間に隙間を有するソール部と、を含む二重密度ハウジングと、隙間に設けられる弾性部材と、を備えるゴルフヘッド。【選択図】図２
2020103881.tif 000002
【特許請求の範囲】
【請求項１】
頂部、フェース部、ホーゼル部、及び開口を有する底部を有し、また前記底部の前記開口の前記フェース部に近い周縁に設けられる第１の折り曲げ部を有する本体と、材料密度が前記本体の材料密度より大きく、前記底部の前記開口を被覆し、その前記フェース部から離れる部分が前記底部に接続され、その前記フェース部に近い部分が第２の折り曲げ部を有し、前記第２の折り曲げ部と前記第１の折り曲げ部との間に隙間を有するソール部と、を含む二重密度ハウジングと、
前記隙間に設けられる弾性部材と、
を備えるゴルフヘッド。
【請求項２】
前記本体の材料密度は４．３ｇ／ｃｍ３〜４．８ｇ／ｃｍ３の範囲にあり、前記ソール部の材料密度は７．０ｇ／ｃｍ３以上である請求項１に記載のゴルフヘッド。
【請求項３】
前記本体はチタン製であり、前記ソール部はステンレス製のものである請求項１に記載のゴルフヘッド。
【請求項４】
前記ソール部で前記開口を封止するように、ソール部の前記フェース部から離れる周縁の一部に設けられる複数のロック部材を更に備える請求項１に記載のゴルフヘッド。
【請求項５】
前記ソール部は、前記弾性部材の一部のみを被覆する請求項１に記載のゴルフヘッド。
【請求項６】
前記弾性部材は、前記第２の折り曲げ部の一端に覆われ、且つその一部が前記隙間に位置し、別の部分が前記ソール部の外側に位置する請求項１に記載のゴルフヘッド。
【請求項７】
前記フェース部は、単一の金属部材又は一体に鋳造成形された前記本体の一部である請求項１に記載のゴルフヘッド。
【請求項８】
前記本体は、炭素繊維複合材のものである請求項１に記載のゴルフヘッド。
【請求項９】
前記本体の前記頂部、前記ホーゼル部及び前記底部は、一体成形された炭素繊維複合構造である請求項７又は８に記載のゴルフヘッド。
【発明の詳細な説明】
【技術分野】
【０００１】
本発明は、ゴルフヘッドに関し、特に、高い慣性モーメン（Ｍｏｍｅｎｔ  Ｏｆ  Ｉｎｅｒｔｉａ；ＭＯＩ）と低い重心位置を有するゴルフヘッドに関する。
【背景技術】
【０００２】
ゴルフはよく見られるレジャーやスポーツ活動の１つであり、異なる機能によってゴルフクラブのヘッドが異なる形態で設計される。ドライバー（Ｄｒｉｖｅｒ）を例として、ボールを遠距離に打つ必要があるので、シャフトが長く設計され且つヘッドの体積が大きい。また、最初にティーオフする場合、ゴルフボールがゴルフティーに置かれるので、使用者は、比較的容易にスイートスポットで打つことができる。
【０００３】
一旦ゴルフボールがフェアウェイに入ると、使用者は、フェアウェーウッド（Ｆａｉｒｗａｙ  Ｗｏｏｄ）によって打球する。しかしながら、この段階でゴルフボールが地面に位置するので、使用者は、スイートスポットでは打ちにくく、スイートスポットを外して打球した場合にはヘッドは回転しやすく打球方向が目標よりも大きく逸れてしまうことがある。そのため、如何に高い慣性モーメン（Ｍｏｍｅｎｔ  Ｏｆ  Ｉｎｅｒｔｉａ；ＭＯＩ）を得ながらも、ヘッドの重心を低くするかは、既に当業者の開発のポイントの１つとなる。
【発明の概要】
【発明が解決しようとする課題】
【０００４】
そのため、本発明の目的の１つは、深く、低い重心及び大きい慣性モーメンを有するゴルフヘッドを提供することにある。
【課題を解決するための手段】
【０００５】
本発明の上記目的によると、頂部、フェース部、シャフトを取り付けるホーゼル部、及び開口を有する底部を有し、また底部の開口の前記フェース部に近い周縁に設けられる第１の折り曲げ部を有する本体と、材料密度が本体の材料密度より大きく、底部の開口を被覆し、そのフェース部から離れる部分が底部に接続され、そのフェース部に近い部分が第２の折り曲げ部を有し、第２の折り曲げ部と第１の折り曲げ部との間に隙間を有するソール部と、を含む二重密度ハウジングと、隙間に設けられる弾性部材と、を備えるゴルフヘッドを提出する。
【０００６】
本発明の一実施例によると、前記本体の材料密度は４．３ｇ／ｃｍ３〜４．８ｇ／ｃｍ３の範囲にあり、ソール部の材料密度は７．０ｇ／ｃｍ３以上である。
【０００７】
本発明の一実施例によると、前記本体はチタン製であり、ソール部はステンレス製のものである。
【０００８】
本発明の一実施例によると、前記ゴルフヘッドは、ソール部で開口を封止するように、ソール部のフェース部から離れる周縁の一部に設けられる複数のロック部材を備える。
【０００９】
本発明の一実施例によると、前記ソール部は、弾性部材の一部のみを被覆する。
【００１０】
本発明の一実施例によると、前記弾性部材は、第２の折り曲げ部の一端に覆われ、且つその一部が隙間に位置し、別の部分がソール部の外側に位置する。
【００１１】
本発明の一実施例によると、前記フェース部は、単一の金属部材又は一体に鋳造成形された本体の一部である。
【００１２】
本発明の一実施例によると、前記本体は、炭素繊維複合材のものである。
【００１３】
本発明の一実施例によると、前記本体の頂部、ホーゼル部及び底部は、一体成形された炭素繊維複合構造である。
【発明の効果】
【００１４】
上記から分かるように、本発明は、主に、本体とソール部との別体設計によって二重密度ハウジングを形成し、ゴルフヘッド全体の重心を変えることを達成し、更にゴルフヘッドが地面に位置する時でもスイートスポットで容易に打つようにすることができる。一方、ロック部材をソール部のフェース部から離れる周縁に締め付けることで、ゴルフヘッドの重心をフェース部から離れる方向へ移動させ、ゴルフヘッド全体の慣性モーメンを増やし、更に打球の飛距離と方向性をより安定することができる。
【００１５】
また、本発明の弾性部材は、本体とソール部との間の隙間に設けられ、打球時の弾性変形を大きくしてヘッドの反発性能を向上させると共に、緩衝と衝撃吸収の機能を提供する。また外部からの異物の侵入を防止する機能を有する。
【図面の簡単な説明】
【００１６】
実施例及びそのメリットをより完璧に理解させるために、添付図面に合わせた下記記述を参照されたい。
【図１】本発明の一実施形態によるゴルフヘッドを示す斜視模式図である。
【図２】本発明の一実施形態によるゴルフヘッドを示す分解模式図である。
【図３】本発明の一実施形態によるゴルフヘッドを示す断面模式図である。
【発明を実施するための形態】
【００１７】
それぞれ本発明の一実施形態によるゴルフヘッドを示す斜視模式図、分解模式図及び断面模式図である図１〜図３を同時に参照されたい。本実施形態のゴルフヘッド１００は、主に、二重密度ハウジング２００と、弾性部材３００と、複数のロック部材４００と、を備える。二重密度ハウジング２００は、本体２１０と、ソール部２２０と、を含む。
【００１８】
本実施例において、本体２１０は、頂部２１１、フェース部２１２、底部２１３、及びホーゼル部２１４を有する開放型ハウジングである。フェース部２１２が頂部２１１と底部２１３との間に位置し、ホーゼル部２１４が頂部２１１の一側に位置し、且つ底部２１３が開口２１３ａを有する。注意すべきなのは、前記の「頂部」、「底部」及び「ソール部」の定義は、図１及び図２に示す方位ではなく、ゴルフヘッド１００が実際に使用される場合の方位を主とする（例えば図３の方位）。つまり、図１及び図２に示す視角は、実際に使用される場合の角度ではなく、主に本発明の設計を明らかに説明するためのものである。
【００１９】
続けて図１〜図３を参照すると、ソール部２２０は、本体２１０の底部２１３に接続され、且つ底部２１３の開口２１３ａを被覆して封止する。本実施例において、ソール部２２０の材料密度は本体２１０の材料密度より大きい。具体的には、小重量の本体２１０に大重量のソール部２２０を組み合わせることで、ゴルフヘッド１００全体の重心を調整する目的を達成することができる。一実施例において、ソール部２２０の材料密度は約７．０ｇ／ｃｍ３以上であり、本体２１０の材料密度は約４．３ｇ／ｃｍ３〜約４．８ｇ／ｃｍ３の範囲にある。一示範例において、ソール部２２０はステンレス製のものであり、本体２１０はチタン製のものである。これにより、ソール部２２０の材料密度を本体２１０の材料密度よりも大きく設計することで、ゴルフヘッド１００全体の重心を下方へ移動させて、更にゴルフヘッド１００が地面に位置するゴルフボールをフェース面上のスイートスポットで容易に打つようにすることができる。他の例において、異なる使用要求を満たすように、本体２１０はステンレス製の本体であってよく、ソール部２２０はタングステン合金ソール部であってよい。又は、いくつかの例において、本体２１０は、炭素繊維複合材のものであってよい。他の実施例において、フェース部２１２は、自体で独立した部材であってもよいし、本体２１０の一部であってもよい。例えば、フェース部２１２は、単一の金属部材であり、又は、一体に鋳造成形された本体２１０の一部であってよい。特定の一例において、本体２１０の頂部２１１、底部２１３、及びホーゼル部２１４は、一体成形された炭素繊維複合構造である。
【００２０】
図１〜図３に示すように、本実施例において、ソール部２２０は、ロック部材４００によって本体２１０に締め付けられる。具体的には、ソール部２２０のフェース部２１２から離れる部分がロック部材４００によって本体２１０の底部２１３に接続される。いくつかの例において、ロック部材４００は、ネジであってよい。本実施例において、ロック部材４００は、ソール部２２０を本体２１０に固定することができるという機能以外、また重量配分の機能を持つ。ロック部材４００をソール部２２０のフェース部２１２から離れる部分に固定することで、ゴルフヘッド１００の重心をフェース部２１２から離れる方向へ移動させると共に、前記本体２１０とソール部２２０とが組み合わせて形成される二重密度ハウジングの設計に合わせて、ゴルフヘッド１００全体の重心を低く且つ深くし、更にゴルフヘッド１００全体の慣性モーメン（Ｍｏｍｅｎｔ  Ｏｆ  Ｉｎｅｒｔｉａ；ＭＯＩ）を増やすことができるので、ゴルフヘッド１００がスイートスポットを外した打球の時に容易に回転しないため、打球の距離と方向がより安定する。
【００２１】
いくつかの実施例において、ロック部材４００の数と材料の何れも使用要求又は異なる設計要求によって決められてよい。異なる材料のロック部材４００が異なる密度と重量を有するので、異なるゴルフヘッドの設計を取得するために、異なる要求の使用者に応じて、異なる材料と数のロック部材４００を選用してよい。注意すべきなのは、前記実施例において、本体とソール部との接続形態がロック部材による接合に限定されない。他の実施例において、ソール部は、ロウ付け又は接着されるように本体に接合されてもよく、ロック部材の使用を省略することもできる。
【００２２】
図３に示すように、ソール部２２０が本体２１０に固定される場合、ソール部２２０のフェース部２１２に近い部分と本体２１０の底部２１３とに隙間Ｇを有し、この隙間Ｇは、主にゴルフヘッド１００がゴルフボールを打球する場合の本体２１０のフェース部２１２の反発を向上させる弾性変形空間とされる。本実施例において、弾性部材３００を隙間Ｇに設けてよく、弾性部材３００は、ゴルフヘッド１００がゴルフボールを打球する場合に発生する振動力を吸収できる以外、打球時の反発力を増やし、更に打球性能を向上させることができる。具体的には、ソール部２２０は、フェース部２１２から離れた部分のみがロック部材４００によって本体２１０の底部２１３に接続され、そのフェース部２１２に近い部分と本体２１０の底部２１３とが互いに固着されていなく、弾性部材３００によって互いに当接して緩衝構造を形成する。また、弾性部材３００を設けることで、ゴルフヘッド１００の打球の時に発生する打球音を変えて、より良い打球音を得ることができる。一方、弾性部材３００は、本体２１０の底部２１３を封止する機能を有し、土砂、芝生等の外部異物がゴルフヘッド１００の内部に入らないようにすることができる。いくつかの特定の実施例において、本体２１０とソール部２２０との何れの材料も金属である場合、弾性部材３００は、２つの金属材料が打球の時に発生する衝撃力を吸収して、金属部分の塑性変形を避けることができる。
【００２３】
一具体的な実施例において、図２及び図３に示すように、本体２１０は、底部２１３の開口２１３ａのフェース部２１２に近い周縁に設けられる第１の折り曲げ部２１５を有する。ソール部２２０は、そのフェース部２１２に近い部分に設けられる第２の折り曲げ部２２１を有する。前記の隙間Ｇが第１の折り曲げ部２１５と第２の折り曲げ部２２１との間に形成される。本実施例において、弾性部材３００は、断面がＣ型であり、ソール部２２０の第２の折り曲げ部２２１の端部に覆われて挟まれる。これにより、弾性部材３００を第２の折り曲げ部２２１の端部に挟まってから、ソール部２２０のフェース部２１２から離れた部分を本体２１０に固定することで、弾性部材３００が直接ソール部２２０により押圧されて第１の折り曲げ部２１５と第２の折り曲げ部２２１との間に固定されるようにすることができる。そのため、第１の折り曲げ部２１５と第２の折り曲げ部２２１に弾性部材３００を合わせた形状設計によって、別に接着剤、ネジ、又はロウ付け等の固着材料を使用せずに、弾性部材３００を固定する目的が達成される。
【００２４】
本実施例において、弾性部材３００は、一部が隙間Ｇに位置し、別の部分がソール部２２０の外側に位置する。つまり、ソール部２２０は、弾性部材３００を完全に被覆するものではなく、弾性部材３００の一部のみを被覆する。弾性部材３００の一部が露出する設計によって、組立作業者は弾性部材３００が取り付けられるかを快速に検査し、且つ使用者は弾性部材３００が損傷したかを知ることができる。また、弾性部材３００の一部を露出する設計は、ゴルフヘッド１００の外観意匠とされて、製品の視覚的特徴を増やすことができる。
【００２５】
一実施例において、弾性部材３００の材料は、ゴム、プラスチック、又はシリコン等の非金属材料であってよい。特定の一例において、弾性部材３００の材料は、熱可塑性ポリウレタンエラストマー（Ｔｈｅｒｍｏｐｌａｓｔｉｃ  Ｕｒｅｔｈａｎｅ；ＴＰＵ）材料であってよい。
【００２６】
上記本発明の実施形態から分かるように、本発明は、主に、本体とソール部との別体設計によって二重密度ハウジングを形成し、ゴルフヘッド全体の重量配分を変えることを達成し、更にゴルフヘッドが地面に位置するゴルフボールを打球する際にフェース面上のスイートスポットでより容易に打つようにすることができる。一方、ロック部材をソール部のフェース部から離して周縁に締め付けることで、ゴルフヘッドの重心をフェース部から離れる方向へ移動させ、ゴルフヘッド全体の慣性モーメンを増やし、更に打球の距離と方向をより安定させることができる。
【００２７】
また、本発明の弾性部材は、本体とソール部との間の隙間に設けられ、緩衝と衝撃吸収の機能を提供できる以外、外部異物の侵入を防止する機能を有する。
【００２８】
本開示内容を実施形態によって以上のように開示したが、これは本開示内容を限定するものではなく、当業者であれば、本開示内容の精神と範囲から逸脱しない限り、各種の変更及び修飾することができるため、本開示内容の保護範囲は、下記特許請求の範囲で指定した内容を基準とする。
【符号の説明】
【００２９】
１００  ゴルフヘッド
２００  二重密度ハウジング
２１０  本体
２１１  頂部
２１２  フェース部
２１３  底部
２１３ａ  開口
２１４  ホーゼル部
２１５  第１の折り曲げ部
２２０  ソール部
２２１  第２の折り曲げ部
３００  弾性部材
４００  ロック部材
Ｇ  隙間
【図１】
2020103881.tif 000003
【図２】
2020103881.tif 000004
【図３】
2020103881.tif 000005